(57)【要約】【課題】信号ケーブル内に螺旋状に挿通配置された信号線の先端部分を、回路基板の接続端子に容易な作業で確実に接続することができる電子内視鏡の先端部を提供すること。【解決手段】挿入部１の先端に固体撮像素子５と回路基板８とが内蔵されて、挿入部１内に挿通配置された信号ケーブル１１の先端から引き出された複数の信号線１２の先端部分が、回路基板８に設けられた複数の接続端子１０，２０に接続された電子内視鏡の先端部において、信号線１２を信号ケーブル１１内に螺旋状に挿通配置すると共に、接続端子１０，２０を、信号ケーブル１１の先端から引き出された信号線１２の先端部分の向きに対応して回路基板８に斜め向きに設けた。【選択図】      図１
2006051260.tif 000002
【特許請求の範囲】
【請求項１】
挿入部の先端に固体撮像素子と回路基板とが内蔵されて、上記挿入部内に挿通配置された信号ケーブルの先端から引き出された複数の信号線の先端部分が、上記回路基板に設けられた複数の接続端子に接続された電子内視鏡の先端部において、
上記信号線を上記信号ケーブル内に螺旋状に挿通配置すると共に、上記接続端子を、上記信号ケーブルの先端から引き出された上記信号線の先端部分の向きに対応して上記回路基板に斜め向きに設けたことを特徴とする電子内視鏡の先端部。
【請求項２】
上記接続端子が上記信号線の先端部分を載せて半田付け接続するための半田付けランドであり、その半田付けランドが上記回路基板に斜め向きに配置されている請求項１記載の電子内視鏡の先端部。
【請求項３】
上記接続端子が上記信号線の先端部分を通孔に通した状態で半田付け接続するための通孔付き接続端子であって、上記通孔が上記回路基板に斜め向きに配置されている請求項１記載の電子内視鏡の先端部。
【請求項４】
上記通孔付き接続端子が、上記通孔の向きを変えることができるように回転自在である請求項３記載の電子内視鏡の先端部。
【発明の詳細な説明】
【技術分野】
【０００１】
この発明は電子内視鏡の先端部に関する。
【背景技術】
【０００２】
電子内視鏡においては一般に、挿入部の先端に固体撮像素子と回路基板とが内蔵されて、挿入部内に挿通配置された信号ケーブルの先端から引き出された複数の信号線の先端部分が、回路基板に設けられた複数の接続端子に接続されている（例えば、特許文献１）。
【特許文献１】特開２０００−１９９８６３
【発明の開示】
【発明が解決しようとする課題】
【０００３】
電子内視鏡の挿入部内に配置される信号ケーブルは挿入部と共に小さな曲率半径で不規則に曲げられるので、信号ケーブルの内部に挿通配置されている信号線を、断線予防のために螺旋状に巻いた状態にするのが望ましい。
【０００４】
しかし、信号ケーブル内に信号線を螺旋状に配置すると、信号線の先端部分が信号ケーブルの先端から斜め向きに引き出されるので、前述のような従来の電子内視鏡の先端部においては、信号線を隣の接続端子と接触しないように真っ直ぐの向きに曲げてから接続端子に半田付け接続する必要がある。そのため、配線作業の作業性が悪くて面倒であり、曲げる作業の際に断線させてしまう場合もあった。
【０００５】
そこで本発明は、信号ケーブル内に螺旋状に挿通配置された信号線の先端部分を、回路基板の接続端子に容易な作業で確実に接続することができる電子内視鏡の先端部を提供することを目的とする。
【課題を解決するための手段】
【０００６】
上記の目的を達成するため、本発明の電子内視鏡の先端部は、挿入部の先端に固体撮像素子と回路基板とが内蔵されて、挿入部内に挿通配置された信号ケーブルの先端から引き出された複数の信号線の先端部分が、回路基板に設けられた複数の接続端子に接続された電子内視鏡の先端部において、信号線を信号ケーブル内に螺旋状に挿通配置すると共に、接続端子を、信号ケーブルの先端から引き出された信号線の先端部分の向きに対応して回路基板に斜め向きに設けたものである。
【０００７】
なお、接続端子が信号線の先端部分を載せて半田付け接続するための半田付けランドであって、その半田付けランドが回路基板に斜め向きに配置されていてもよい。
また、接続端子が信号線の先端部分を通孔に通した状態で半田付け接続するための通孔付き接続端子であって、その通孔が回路基板に斜め向きに配置されていてもよく、その場合、通孔の向きを変えることができるように通孔付き接続端子を回転自在に設けてもよい。
【発明の効果】
【０００８】
本発明によれば、信号線を信号ケーブル内に螺旋状に挿通配置すると共に、接続端子を、信号ケーブルの先端から引き出された信号線の先端部分の向きに対応して回路基板に斜め向きに設けたことにより、信号ケーブル内に螺旋状に挿通配置された信号線の先端部分を、回路基板の接続端子に容易な作業で確実に接続することができる。
【発明を実施するための最良の形態】
【０００９】
挿入部の先端に固体撮像素子と回路基板とが内蔵されて、挿入部内に挿通配置された信号ケーブルの先端から引き出された複数の信号線の先端部分が、回路基板に設けられた複数の接続端子に接続された電子内視鏡の先端部において、信号線を信号ケーブル内に螺旋状に挿通配置すると共に、接続端子を、信号ケーブルの先端から引き出された信号線の先端部分の向きに対応して回路基板に斜め向きに設ける。
【実施例】
【００１０】
図面を参照して本発明の実施例を説明する。
図２は、固体撮像素子５を内蔵する電子内視鏡の挿入部１の先端部分を示しており、挿入部１の先端に連結された先端部本体２の先端面には観察窓３等が配置されていて、観察窓３の奥に内蔵された対物光学系４による被写体の投影位置に、例えばＣＣＤ（電荷結合素子）からなる固体撮像素子５の撮像面６が配置されている。
【００１１】
対物光学系４と固体撮像素子５を保持する撮像ユニット枠７内には、固体撮像素子５の駆動回路等を構成する例えばコンデンサやＩＣチップ等の電子部品９が取り付けられた回路基板８が、固体撮像素子５の直ぐ後側に隣接して固体撮像素子５に対して固定的に配置されている。回路基板８は例えばセラミックスからなるブロック体により形成されている。
【００１２】
１１は、挿入部１内に全長にわたって挿通配置された信号ケーブルであり、その先端から引き出された複数の信号線１２の先端部分が、回路基板８の後端部に設けられた複数の接続端子１０に半田付けによって各々接続固着されている。１３は、固体撮像素子５側から回路基板８に接続されたリード、１４は電気絶縁性の材料からなる補強板である。
【００１３】
図１は、回路基板８とその接続端子１０に接続された信号ケーブル１１の先端付近とを示しており、各信号線１２は、信号ケーブル１１内に全長にわたって螺旋状に挿通配置され、先端部分が信号ケーブル１１の先端から各々斜め方向に延出している。
【００１４】
回路基板８の後端部分は断面形状が例えば矩形状に形成されていて、その外周面に接続端子１０が配列されている。なお、接続端子１０には理解し易くするために表面に斜線を付してある（断面ではない）。
【００１５】
この実施例の接続端子１０は、信号線１２の導線の先端部分を載せて半田付け接続するための平面状の半田付けランドであり（以下、「半田付けランド１０」という）、その半田付けランド１０が、信号ケーブル１１の先端から引き出された信号線１２の先端部分の向きに合わせて回路基板８の表面に斜め向きに配置されている。
【００１６】
したがって、信号線１２の導線の先端部分を、信号ケーブル１１の先端から延出したままの自然な状態で半田付けランド１０に対して真っ直ぐに載せることができ、信号線１２と半田付けランド１０をそのまま半田付けすることで、隣の半田付けランド１０とリークすることなく確実に接続固着することができる。
【００１７】
図３は、本発明の第２の実施例を示しており、前述の第１の実施例と同様の半田付けランド１９が回路基板８の後端部に真っ直ぐ配置されているが、各半田付けランド１９に円筒状の接続端子２０が立設されていて、信号線１２の導線の先端部分を通すための通孔２１が各接続端子２０に軸線に対して垂直方向に貫通して穿設されている。なお、各接続端子２０は理解し易くするために断面をとって図示してある。
【００１８】
各通孔２１は、信号ケーブル１１の先端から引き出された信号線１２の先端部分の向きに合わせて斜め向きに形成されている。その結果、信号線１２の導線の先端部分を、信号ケーブル１１の先端から延出したままの自然な状態で通孔２１に真っ直ぐに通すことができ、その状態で接続端子２０の軸孔部分に半田を流し込むことにより、信号線１２と接続端子２０を隣の接続端子２０とリークすることなく確実に接続固着することができる。
【００１９】
なお、接続端子２０を軸線周りに回転自在に半田付けランド１９に立設すれば、通孔２１の向きを予め設定することなく、組み立て時に信号線１２の導線の先端部分の向きと通孔２１の向きが合うように接続端子２０を回転させて信号線１２を通孔２１に通せばよい。
【図面の簡単な説明】
【００２０】
【図１】本発明の第１の実施例の回路基板とその接続端子に接続された信号ケーブルの先端付近とを示す側面断面図である。
【図２】本発明の第１の実施例の電子内視鏡の挿入部の先端付近の側面断面図である。
【図３】本発明の第２の実施例の回路基板とその接続端子に接続された信号ケーブルの先端付近とを示す側面断面図である。
【符号の説明】
【００２１】
１  挿入部
２  先端部本体
５  固体撮像素子
８  回路基板
１０  接続端子（半田付けランド）
１１  信号ケーブル
１２  信号線
１９  半田付けランド
２０  接続端子
２１  通孔
【図１】
2006051260.tif 000003
【図２】
2006051260.tif 000004
【図３】
2006051260.tif 000005